(57)【特許請求の範囲】
【請求項１】
絶縁性材料製のターミナルベースと、該ターミナルベースに設けられたスリットに該ターミナルベースの内側から挿入されるターミナル板と、前記ターミナルベースの内面を臨む位置に固定される電磁石とを有する電磁スイッチであって、
前記電磁石のボビンにおける前記ターミナルベースの内面を臨む面に、前記ターミナル板の基端部に当接する突起を設けたことを特徴とする電磁スイッチ。
【発明の詳細な説明】
【技術分野】
【０００１】
本発明は、コイルへの電流を断続することによって固定接点に対して可動接点を接離移動させ、一対の固定接点間の導通を断続するように構成された電磁スイッチに関するものである。
【背景技術】
【０００２】
電流回路を遠隔操作で断続するために、電磁石の作用で固定接点に対して可動接点を接離移動させるように構成された電磁スイッチが用いられている。
【０００３】
この種の電磁スイッチとして、ワイヤーハーネスのプラグを接続するソケットのベースに設けられたスリットに、固定接点と一体をなす板状のターミナル部材を圧入したものが知られている（特許文献１を参照されたい）。
【特許文献１】特開平６−３４９３９５号公報
【発明の開示】
【発明が解決しようとする課題】
【０００４】
文献１に記載された従来の構造によると、ターミナル板は、その基部に設けられた逆止爪がスリットの開口に結合してベースからの抜け止めがなされるが、プラグの着脱を繰り返すうちに、スリットに対するターミナル板の結合部が弛むことがあり得た。
【０００５】
本発明は、このような従来技術の不都合を解消すべく案出されたものであり、その主な目的は、ベースに設けられたスリットに対するターミナル板の結合部が弛むことのないように改良された電磁スイッチを提供することにある。
【課題を解決するための手段】
【０００６】
このような課題を解決するため、本発明は、絶縁性材料製のターミナルベース１５と、該ターミナルベースに設けられたスリット２１に該ターミナルベースの内側から挿入されるターミナル板１７と、前記ターミナルベースの内面を臨む位置に固定される電磁石（ボビン５及びコイル６）とを有し、前記電磁石のボビンにおける前記ターミナルベースの内面を臨む面に、前記ターミナル板の基端部（固定接点１６）に当接する突起２４・２５を設けたことを特徴とする電磁スイッチ１を提供するものとした。
【発明の効果】
【０００７】
このような本発明によれば、例えばプラグを装着する際にターミナル板に加わる力がボビンに設けた突起で受け止められるので、ターミナル板の抜け止め形状を複雑化することなく、また格別な新規部品を追加することもなく、ターミナル板が没入変位することを防止することができる。従って、この種の電磁スイッチの構造を複雑化せずに反復着脱耐久性を高める上に多大な効果を奏することができる。
【発明を実施するための最良の形態】
【０００８】
以下に添付の図面を参照して本発明について詳細に説明する。
【０００９】
本発明に関わる電磁スイッチ１は、図１に示すように、電磁アクチュエータ部２と、コネクタ部３とからなっている。なお、以下に記述する方向性は、図１の紙面に向かってのこととするが、これはあくまでも説明の便宜上であり、実使用時の方向性はこれに限定されるものではない。
【００１０】
図２〜図４に併せて示すように、電磁アクチュエータ部２は、上面が開放された直方体をなす絶縁材料製のケース４に収容されており、ボビン５及びボビン５に巻回されたコイル６と、コイル６に外装された２分割のヨーク７ａ・７ｂと、ボビン５の中心孔５ａにボビン５の上端側から挿入されたアーマチュア８と、ボビン５の中心孔５ａにボビン５の下端側から挿入されたコア９と、アーマチュア８とコア９とを互いに離間させる向きの弾発力をアーマチュア８とコア９との間に常時作用させる圧縮コイルばね１０とからなっている。
【００１１】
絶縁材料製のボビン５には、その上端に略正方形をなすフランジ１１が、その下端に略円形をなすフランジ１２が、それぞれ一体形成されている。そして正方形フランジ１１の後縁側には、その長手方向をボビン５の軸線に沿って上下に延在させた細長い板状をなす一対の給電用ターミナル板１３が、図には示されていないが、正方形フランジ１１の後縁部に形成された後方が開口した水平孔にその基端部を圧入することによって固定されている。なお。この給電用ターミナル板１３の基端部には、コイル６を構成する導線の各端末が半田付けされている。
【００１２】
コネクタ部３は、ワイヤーハーネスの端末に設けられたプラグ（図示せず）を受容し且つ抜け止めすべく上向きに開放されたソケット１４と、ソケット１４の下端側にソケット１４と一体形成されたターミナルベース１５と、その基端部に一体形成された固定接点１６をターミナルベース１５に固着したスイッチターミナル板１７と、ターミナルベース１５の下面と固定接点１６の上面との間に上下移動可能に挟設された可動接点板１８と、可動接点板１８を固定接点１６に当接させる向きの弾発力をターミナルベース１５と可動接点板１８との間に常時作用させる圧縮コイルばね１９とからなっている。そして、ケース４の開放面にターミナルベース１５を嵌着することにより、電磁アクチュエータ部２の構成部材がケース４内に封入されるようになっている。
【００１３】
絶縁材料製のターミナルベース１５には、給電用ターミナル板１３と相似形をなし且つ給電用ターミナル板１３より一回り大きく形成されたスイッチターミナル板１７並びに給電用ターミナル板１３をそれぞれ挿通させるために、２組の前後方向に長いスリット２０・２１が設けられており、これらのスリットのうちの一方の組２１に、ターミナルベース１５の下面との間に可動接点板１８を挟み込んだ上で、一対のスイッチターミナル板１７が予め圧入されている。そして、スイッチターミナル板１７が組み付けられたターミナルベース１５をケース４の開放面に嵌着する際に、ボビン５の正方形フランジ１１に固着された給電用ターミナル板１３がスリット２０を通過し、ターミナルベース１５と一体をなすソケット１４の内側に突出するようにされている。
【００１４】
スイッチターミナル板１７の基端側に形成された固定接点１６は、スイッチターミナル板１７から直角に折り曲げられると共に、前後方向に長くされており、その後端を、一対の給電用ターミナル板１３の基端部同士間へ延出させている。また固定接点１６の前端および後端には、上向きに折り曲げられた突片２２が設けられており、ターミナルベース１５の下面に形成された孔２３にこれらの突片２２を圧入することにより、スイッチターミナル板１７の位置決め並びに抜け止めがなされている。
【００１５】
ボビン５の正方形フランジ１１の上面には、ボビン５の軸線に沿う２組の突起２４・２５(４ヶ所)が突設されている。これらの突起２４・２５は、一対の固定接点１６の前後方向各端に対応しており、スイッチターミナル板１７が組み付けられたターミナルベース１５をケース４の開放面に嵌着する際に、突起２４・２５の先端が、各固定接点１６の前後方向各端に当接するようになっている。
【００１６】
これらの突起２４・２５の先端は、図５に示すように円錐状に尖らされており、この尖端部分を固定接点１６に押し付けると、尖端部分が潰れると共に、その時の変形反力によって固定接点１６の上面がターミナルベース１５の下面に圧接される。これにより、各部に製造誤差や組み付け誤差が生じたとしても、スイッチターミナル板１７の上下方向についての位置決め並びにがた止めが確実になされる。
【００１７】
なお、上述の突起と同様な突起を、ケース４の底面に少なくとも３つ等角度配置し、ターミナルベース１５をケース４に組み付ける時に、ヨーク７ａに突起が突き当たり、上記と同様に突起の尖端部分が潰れるようにしておけば、ヨーク７ａのがた止めを行える。
【００１８】
絶縁材からなるターミナルベース１５のソケット１４の内側における上面の中央部には、中央が高くなる山形の凸部２６が設けられている。この凸部２６を上向きにし、凸部２６の頂面近傍に向けて垂下させたノズルNからエポキシ系樹脂材などを流し込むと、凸部２６の斜面Ｃによって斜面Ｃの低位部側、つまりターミナルベース１５の外周側へと流されたエポキシ系樹脂材２７が、ターミナルベース１５とケース４との嵌合部に流れ込み、嵌合部を完全にシールする。また各ターミナル板１３・１７を挿通した各スリット２０・２１は、ターミナルベース１５の最低位面に設けられているので、各ターミナル板１３・１７と各スリット２０・２１との隙間もエポキシ系樹脂材２７によって塞がれる。
【００１９】
このようにして、外側が低くなる斜面Ｃで液状のシール材の流れを一定の方向へ導くものとすることにより、粘度が比較的高いシール材を用いても最少限の量でシールすべき部位を確実にシールすることができる。なお、凸部２６の輪郭形状は、扁平な角錐台形、または円錐台形などが考えられるが、要するに外側が低くなる斜面Ｃが設けられていれば良い。
【００２０】
このようにして組み立てられた電磁スイッチ１のソケット１４にワイヤーハーネスのプラグを結合させ、給電用ターミナル板１３からコイル６に電流を供給すると、コイル６が励磁されてヨーク７を介してコア９とアーマチュア８とを通る磁束が発生する。すると圧縮コイルばね１０の弾発力に抗してアーマチュア８がコア９に吸引され、固定接点１６から可動接点板１８を引き離す押圧力が消失する。これにより、可動接点板１８は圧縮コイルばね１０の弾発力でアーマチュア８と共に移動し、一対の固定接点１６に当接して両固定接点同士間１６を導通させる。
【００２１】
ソケット１４にプラグを結合させる際に、スイッチターミナル板１７に下向きの力、つまりスイッチターミナル板１７をケース４の内方へ押し込む力が作用するが、スイッチターミナル板１７と一体の固定接点１６がボビン５の上面に突設された突起２４・２５に当接しており、スイッチターミナル板１７に作用する下向きの力が突起２４・２５で受け止められるので、スイッチターミナル板１７が緩む心配は無い。
【産業上の利用可能性】
【００２２】
本発明に係る電磁スイッチの構成は、ターミナル板を弛み止めする効果を有し、基板のソケットに差し込まれる電磁継電器にも等しく適用できる。
【図面の簡単な説明】
【００２３】
【図１】本発明装置の組み立てた状態の外観斜視図である。
【図２】本発明装置の上面図である。
【図３】図２中のIII−III線に沿う断面図である。
【図４】図２中のIV−IV線に沿う断面図である。
【図５】突起の尖端部の拡大図である。
【符号の説明】
【００２４】
１  電磁スイッチ
５  ボビン
６  コイル
１４  ソケット
１５  ターミナルベース
１６  固定接点
１７  ターミナル板
２１  スリット
２４・２５  突起
【図１】
0004416709.tif 000002
【図２】
0004416709.tif 000003
【図３】
0004416709.tif 000004
【図４】
0004416709.tif 000005
【図５】
0004416709.tif 000006